(57)【特許請求の範囲】
【請求項１】
移動部材が斜め方向に移動することにより、この移動部材が非移動部材に対して着脱される機器において、
前記非移動部材の取り付け位置から前記移動部材の移動方向に沿い斜め上方に伸びると共に、下端が固定設置されると共に上端が回動自在に支持され、しかも、途中位置にて案内上側部分と案内下側部分とに分離することができる案内部材を設け、
分解時には、引き上げ・引き下げ装置により前記移動部材を前記非移動部材から前記案内部材に沿い引き上げ、引き上げた移動部材が案内上側部分に位置したら、案内上側部分と案内下側部分とを分離して、移動部材と共に案内上側部分を回動させて鉛直とし、その後に引き上げ・引き下げ装置により移動部材を鉛直方向下方に移動させ、
一方、組立時には、引き上げ・引き下げ装置の下方にある移動部材を引き上げ・引き下げ装置により引き上げて前記案内上側部分に沿わせ、その後に案内上側部分と移動部材とを上側に向けて回動させ、案内上側部分と案内下側部分とを連結し、引き上げ・引き下げ装置により移動部材を案内部材に沿い引き下げていき移動部材に取り付けることを特徴とする斜め方向着脱方法。
【請求項２】
弁ヨークが斜め方向に移動することにより、この弁ヨークが弁胴に対して着脱される弁において、
前記弁胴の取り付け位置から前記弁ヨークの移動方向に沿い斜め上方に伸びると共に、下端が固定設置されると共に上端が回動自在に支持され、しかも、途中位置にて案内上側部分と案内下側部分とに分離することができる案内部材を設け、
分解時には、ワイヤ吊下装置により前記弁ヨークを前記弁胴から前記案内部材に沿い引き上げ、引き上げた弁ヨークが案内上側部分に位置したら、案内上側部分と案内下側部分とを分離して、弁ヨークと共に案内上側部分を回動させて鉛直とし、その後にワイヤ吊下装置により弁ヨークを鉛直方向下方に移動させ、
一方、組立時には、ワイヤ吊下装置の下方にある弁ヨークをワイヤ吊下装置により引き上げて前記案内上側部分に沿わせ、その後に案内上側部分と弁ヨークとを上側に向けて回動させ、案内上側部分と案内下側部分とを連結し、ワイヤ吊下装置により弁ヨークを案内部材に沿い引き下げていき弁ヨークに取り付けることを特徴とする斜め方向着脱方法。
【発明の詳細な説明】
【０００１】
【発明の属する技術分野】
本発明は斜め方向着脱方法に関し、重量物を移動させて着脱する場合に適用して有効な方法であり、特に、弁の弁胴に対して弁ヨークを斜めに移動させて着脱させる場合に有効である。
【０００２】
【従来の技術】
蒸気動力プラント等のプラントでは、多数の配管が配置されており、配管の途中には弁が介装されている。図４はその一例を示しており、配管１に弁２が介装されている。弁２の弁胴２１は配管１に連結・固定されており、この弁胴２１には、弁ヨーク２２が着脱可能にボルト付けされている。弁ヨーク２２は、弁体２３，弁棒２４，ハンドル２５等により構成されている。弁２の分解をするときには、ボルトを緩め、弁ヨーク２２を弁胴２１から引き抜いている。なお、弁ヨーク２２の重量は重く、例えば６０〜１００Ｋｇとなっている。
【０００３】
一般的には、弁２は、その弁軸（弁棒２４の長手方向の向き）が鉛直となるように配置される。しかし、弁２の直上に他の配管や構造物がある場合には、鉛直方向に対して弁軸を斜めにして弁２を配置せざるを得ない場合もある。
【０００４】
ここで、図５を参照して、鉛直方向に対して弁軸を斜めにして弁２を配置した場合において、弁分解のため、弁ヨーク２２を弁胴２１から引き抜いていく従来手法を説明する。
【０００５】
図５に示すように、弁２は鉛直方向に対して弁軸が斜めになる状態で配置されている。そして上方の固定部材である梁３０のＩプレート３１，３２にはチェーンブロック４１，４２を取り付けている。チェーンブロック４１の取り付け位置は、弁ヨーク２２の略真上に位置しており、チェーンブロック４２の取り付け位置は、弁軸（弁棒２４の長手方向の向き）を斜め上方に延長して梁３０と交差する位置となっている。
【０００６】
弁ヨーク２２を斜め上方に引き抜くには、チェーンブロック４１から繰り出したワイヤ４１ａを弁ヨーク２２の下部に巻きかける。またチェーンブロック４２から繰り出したワイヤ４２ａを弁ヨーク２２の上部（ハンドル２５の下側）に巻きかける。この状態で、ワイヤ４１ａにより弁ヨーク２２の重量を支える状態としつつ、チェーンブロック４２を操作してワイヤ４２ａにより弁ヨーク２２を斜め上方（矢印Ａ方向）に引き抜いていく。このようにしていくと、弁ヨーク２２は、取り付け位置Ｘから、斜め上方に引き抜かれた位置Ｙに移動していき、更に、梁３０の近くにまで移動していく。
【０００７】
弁ヨーク２２が梁３０の近くにまで移動していったら、ワイヤ４１ａを緩めて、弁ヨーク２２の弁軸が鉛直となるようにする。弁ヨーク２２の弁軸が鉛直となったら、ワイヤ４１ａを外し、ワイヤ４２ａを緩めていって弁ヨーク２２を下方（矢印Ｂ方向）に移動させ、図中の位置Ｚを経由して、最後には床面５０に降ろす。
【０００８】
組み立て時には、上述したのと逆の作業をする。
【０００９】
【発明が解決しようとする課題】
ところで図５に示す従来の作業方法では、次のような問題があった。
（１）弁ヨーク２２の下部に巻きかけたワイヤ４１ａが滑る可能性があり、安全性に問題があった。
（２）弁ヨーク２２を斜め上方に引き抜く際には、２つのチェーンブロック４１，４２を同時に操作する必要があるため、多くの作業者が必要であると共に、作業が複雑であり、長い作業時間を要した。
【００１０】
本発明は、上記従来技術に鑑み、安全・短時間で重量物（弁ヨーク等）を斜め方向に着脱することのできる斜め方向着脱方法を提供することを目的とする。
【００１１】
【課題を解決するための手段】
上記課題を解決する本発明の構成は、移動部材が斜め方向に移動することにより、この移動部材が非移動部材に対して着脱される機器において、
前記非移動部材の取り付け位置から前記移動部材の移動方向に沿い斜め上方に伸びると共に、下端が固定設置されると共に上端が回動自在に支持され、しかも、途中位置にて案内上側部分と案内下側部分とに分離することができる案内部材を設け、
分解時には、引き上げ・引き下げ装置により前記移動部材を前記非移動部材から前記案内部材に沿い引き上げ、引き上げた移動部材が案内上側部分に位置したら、案内上側部分と案内下側部分とを分離して、移動部材と共に案内上側部分を回動させて鉛直とし、その後に引き上げ・引き下げ装置により移動部材を鉛直方向下方に移動させ、
一方、組立時には、引き上げ・引き下げ装置の下方にある移動部材を引き上げ・引き下げ装置により引き上げて前記案内上側部分に沿わせ、その後に案内上側部分と移動部材とを上側に向けて回動させ、案内上側部分と案内下側部分とを連結し、引き上げ・引き下げ装置により移動部材を案内部材に沿い引き下げていき移動部材に取り付けることを特徴とする。
【００１２】
また本発明の構成は、弁ヨークが斜め方向に移動することにより、この弁ヨークが弁胴に対して着脱される弁において、
前記弁胴の取り付け位置から前記弁ヨークの移動方向に沿い斜め上方に伸びると共に、下端が固定設置されると共に上端が回動自在に支持され、しかも、途中位置にて案内上側部分と案内下側部分とに分離することができる案内部材を設け、
分解時には、ワイヤ吊下装置により前記弁ヨークを前記弁胴から前記案内部材に沿い引き上げ、引き上げた弁ヨークが案内上側部分に位置したら、案内上側部分と案内下側部分とを分離して、弁ヨークと共に案内上側部分を回動させて鉛直とし、その後にワイヤ吊下装置により弁ヨークを鉛直方向下方に移動させ、
一方、組立時には、ワイヤ吊下装置の下方にある弁ヨークをワイヤ吊下装置により引き上げて前記案内上側部分に沿わせ、その後に案内上側部分と弁ヨークとを上側に向けて回動させ、案内上側部分と案内下側部分とを連結し、ワイヤ吊下装置により弁ヨークを案内部材に沿い引き下げていき弁ヨークに取り付けることを特徴とする。
【００１３】
【発明の実施の形態】
以下に本発明の実施の形態を図面に基づき詳細に説明する。
【００１４】
図１に示すように、弁２は弁軸（弁棒２４の長手方向の向き）が鉛直方向に対して斜めになる状態で配置されている。弁２の分解のため弁ヨーク２２を引き抜くためには、本発明方法では、まずハンドル２５を撤去する。また、弁ヨーク２２を弁胴２１にボルト付けしているボルトを緩める。
【００１５】
次に案内部材１００を配置する。この案内部材１００は、弁ヨーク２２の引き抜き方向（弁２の弁軸）に対して平行で、かつ、弁胴２１の取り付け位置から斜め上方に向かって伸びる状態で配置する。この案内部材１００の下部は、脚部１０１により下部の固定部材である床面５０に固定され、案内部材１００の頂部１０２は上部の固定部材である梁３０に配置されたＩプレート３３に回動自在に連結・支持される。
【００１６】
案内部材１００は、図２にも示すように、樋状となっており、例えばステンレスパイプを縦方向に１／４にカットした部材１００ａを、フランジ１００ｂを介してボルトにより連結した構造の物を用いる。したがって、フランジ１００ｂの部分のボルトを外すことにより、案内部材１００はその途中で２つに分離することができる。
【００１７】
また図１に示すように、弁軸（弁棒２４の長手方向の向き）を斜め上方に延長して梁３０と交差する位置に配置されたＩプレート３４には、チェーンブロック（ワイヤ吊下装置）４３が取り付けられている。このチェーンブロック４３から繰り出したワイヤ４３ａは弁ヨーク２２に巻きかけられている。
【００１８】
チェーンブロック４３を操作してワイヤ４３ａにより弁ヨーク２２を斜め上方に引き抜いていくと、弁ヨーク２２は、案内部材１００の上に載って案内部材１００に沿い斜め上方にスライド移動していく。
【００１９】
弁ヨーク２２が斜め上方にスライド移動していき、図１において点線で示す位置に達したら、図３に示すように、チェーンブロック４４から繰り出したワイヤ４４ａにより、案内部材１００の上部を巻きかける。
【００２０】
次に、図３に示すように、案内部材１００の中間部分に位置するフランジ１００ｂに締結していたボルトを外し、案内部材１００を案内上側部分１００Ｕと案内下側部分１００Ｄとに分離する。このとき弁ヨーク２２は案内上側部分１００Ｕに載っている。
【００２１】
この状態でワイヤ４４ａを緩めていくと、案内上側部分１００Ｕはその頂部（Ｉプレート３３）の部分を回動中心として下方に向かって回動していく。このため、案内上側部分１００Ｕに載っている弁ヨーク２２も下側に向かって回動していく。
【００２２】
ワイヤ４３ａにより吊り下げられた弁ヨーク２２及び案内上側部分１００Ｕが鉛直になったら、ワイヤ４３ａを緩め、弁ヨーク２２を鉛直方向下方に移動させ、最後には床面５０に降ろす。
【００２３】
組み立てるときには、上述したのと逆の作業をする。即ち床面５０上の弁ヨーク２２にワイヤ４３ａをかけ、チェーンブロック４３を操作してワイヤ４３ａを巻き上げて弁ヨーク２２を案内上側部分１００Ｕに沿わせる。そして、ワイヤ４４ａを案内上側部分１００Ｕに巻きかけ、このワイヤ４４ａを巻き取っていくことにより、案内上側部分１００Ｕ及びこの案内上側部分１００Ｕに載った弁ヨーク２２を上側に回動させていく。案内上側部分１００Ｕと案内下側部分１００Ｄとが接触したら、フランジ１００ｂを介して両部分１００Ｕ，１００Ｄを連結する。その後、ワイヤ４３ａを緩めていって、弁ヨーク２２を案内部材１００に沿い斜め下方にスライド移動させていき、弁ヨーク２２を弁胴２１に斜めに挿入していき、弁ヨーク２２を弁２１に取り付ける。
【００２４】
上述した本発明の実施の形態にかかる方法では、案内部材１００に載った状態で弁ヨーク２２が斜めにスライド移動するため、弁ヨーク２２を弁胴２１から安全に引き抜くことができると共に、弁ヨーク２２を弁胴２１に安全に取り付けることができる。。また、２つのチェーンブロック４３，４４を用いているが、この２つのチェーンブロック４３，４４を同時に操作することはないので、少数の作業者により簡単かつ短時間で分解のための引き抜きや、組み立てができる。
【００２５】
なお、案内部材の表面にローラを取り付けたり、案内部材を台車に設置するようにしてもよい。
【００２６】
また本発明は、弁の弁ヨークを着脱する場合のみならず、重量物である移動部材が斜めに移動することにより、この移動部材が非移動部材に対して着脱される各種の機器等に適用することができる。
【００２７】
【発明の効果】
以上実施の形態と共に具体的に説明したように、本発明では、移動部材が斜め方向に移動することにより、この移動部材が非移動部材に対して着脱される機器において、
前記非移動部材の取り付け位置から前記移動部材の移動方向に沿い斜め上方に伸びると共に、下端が固定設置されると共に上端が回動自在に支持され、しかも、途中位置にて案内上側部分と案内下側部分とに分離することができる案内部材を設け、
分解時には、引き上げ・引き下げ装置により前記移動部材を前記非移動部材から前記案内部材に沿い引き上げ、引き上げた移動部材が案内上側部分に位置したら、案内上側部分と案内下側部分とを分離して、移動部材と共に案内上側部分を回動させて鉛直とし、その後に引き上げ・引き下げ装置により移動部材を鉛直方向下方に移動させ、
一方、組立時には、引き上げ・引き下げ装置の下方にある移動部材を引き上げ・引き下げ装置により引き上げて前記案内上側部分に沿わせ、その後に案内上側部分と移動部材とを上側に向けて回動させ、案内上側部分と案内下側部分とを連結し、引き上げ・引き下げ装置により移動部材を案内部材に沿い引き下げていき移動部材に取り付けるようにした。
【００２８】
また本発明では、弁ヨークが斜め方向に移動することにより、この弁ヨークが弁胴に対して着脱される弁において、
前記弁胴の取り付け位置から前記弁ヨークの移動方向に沿い斜め上方に伸びると共に、下端が固定設置されると共に上端が回動自在に支持され、しかも、途中位置にて案内上側部分と案内下側部分とに分離することができる案内部材を設け、
分解時には、ワイヤ吊下装置により前記弁ヨークを前記弁胴から前記案内部材に沿い引き上げ、引き上げた弁ヨークが案内上側部分に位置したら、案内上側部分と案内下側部分とを分離して、弁ヨークと共に案内上側部分を回動させて鉛直とし、その後にワイヤ吊下装置により弁ヨークを鉛直方向下方に移動させ、
一方、組立時には、ワイヤ吊下装置の下方にある弁ヨークをワイヤ吊下装置により引き上げて前記案内上側部分に沿わせ、その後に案内上側部分と弁ヨークとを上側に向けて回動させ、案内上側部分と案内下側部分とを連結し、ワイヤ吊下装置により弁ヨークを案内部材に沿い引き下げていき弁ヨークに取り付けるようにした。
【００２９】
上記構成とした本発明では、案内部材に沿った状態で移動部材（弁ヨーク）が斜めに移動するため、移動部材（弁ヨーク）を非移動部材（弁胴）から安全に引き抜くことができると共に、移動部材を非移動部材に安全に取り付けることができる。また、少数の作業者により簡単かつ短時間で分解のための引き抜きや、組み立てができる。
【図面の簡単な説明】
【図１】本発明方法を示す説明図。
【図２】案内部材を示す斜視図。
【図３】本発明方法を示す説明図。
【図４】配管に備えた弁を示す構成図。
【図５】従来方法を示す説明図。
【符号の説明】
１  配管
２  弁
２１  弁胴
２２  弁ヨーク
２３  弁体
２４  弁棒
２５  ハンドル
３０  梁
３１〜３４  Ｉプレート
４１〜４４  チェーンブロック
４１ａ〜４４ａ  ワイヤ
５０  床面
１００  案内部材
１００ａ  部材
１００ｂ  フランジ
１００Ｕ  案内上側部分
１００Ｄ  案内下側部分
１０１  脚部
１０２  頂部
【図１】
0004138170.tif 000002
【図２】
0004138170.tif 000003
【図３】
0004138170.tif 000004
【図４】
0004138170.tif 000005
【図５】
0004138170.tif 000006